(57)【要約】      （修正有）【課題】浴槽及び洗顔容器等が使用する移動自在のプローブによってオゾンを供給する泡を発生して皮膚に付着した汚染された成分を除去する皮膚洗浄方法を提供する。【解決手段】皮膚の表面を温水に浸して毛穴を開放する。温水に浸された移動自在のプローブ３０により超音波の泡を噴出し、泡から発生するイオン等が作用し、オゾン及び石鹸の泡立ちによって毛穴の汚れた成分を排出する。その後、皮膚の表面に空気を吹き付けて毛穴を閉鎖させることを特徴としている。【選択図】図２
2005046569.tif 000002
【特許請求の範囲】
【請求項１】
皮膚の表面を温水に浸して毛穴を開放した後、石鹸を泡立てた石鹸膜に対して移動自在の多孔質よりなる各種形状のプローブよりオゾンを供給して泡を生成させ、その後生成された泡を皮膚に接触させた後、該皮膚に付着した泡を皮膚から除去した後、該皮膚の表面にプローブから空気を噴射して該毛穴を閉じさせることを特徴とする浴槽、洗顔容器等におけるプローブの皮膚洗浄方法。
【請求項２】
皮膚の表面を温水に浸して毛穴を開放させた後、温水に浸された移動自在で多孔質よりなる各種形状のプローブより泡を噴出させて該毛穴に含まれている汚れた成分を毛穴より排出させた後、汚れた成分を皮膚の表面より除去し、その後該皮膚の表面に空気を吹き付けて、該毛穴を閉じさせる超音波によることを特徴とする浴槽、洗顔容器等におけるプローブの皮膚洗浄方法。
【請求項３】
皮膚の表面を温水に浸して毛穴を開放させた後、温水に浸された移動自在の多孔質よりなる各種形状によるプローブよりオゾンを含有する泡を噴出させた後、泡により該毛穴に含まれる汚れた成分を毛穴から排出されると共に、オゾンによって汚れた成分を分解させ、その後、該毛穴から排出した汚れた成分又は分解された汚れた成分を皮膚から除去した後、該皮膚に空気又はオゾンを含む空気を吹き付けて該毛穴を閉じさせることを特徴とした浴槽、洗顔容器等におけるプローブの皮膚洗浄方法。
【請求項４】
皮膚の表面を温水に浸して毛穴を開放させた後、石鹸を温水で濡らして、石鹸膜による泡立てを生成した後、泡立てた石鹸に移動自在の多孔質よりなる各種形状のプローブを載せて空気を供給し、泡で覆われている該プローブを皮膚に当接し、その後該プローブと皮膚の間に微細な泡よりなる石鹸膜を形成した状態でプローブを皮膚上で移動させた後、洗浄した皮膚に温水を以って汚れた成分を除去し、その後皮膚を乾燥した皮膚に空気を吹き付けて該毛穴を閉じることを特徴とする浴槽、洗顔容器等におけるプローブの皮膚洗浄方法。
【発明の詳細な説明】
【利用分野】
【０００１】    本発明は、浴槽及び洗顔の容器等に使用するもので移動自由なプローブによってオゾンを供給する泡を発生させ、皮膚に付着した汚染された成分を除去し、浴槽内の温水全身美肌処理及び洗顔容器に温水を以って美顔処理し、皮膚に塗布された化粧品等を除去するのに良好な浴槽、洗顔容器等におけるプローブの皮膚洗浄方法に関するものである。
【背景技術】
【０００２】  一般に、この種のプローブによる皮膚洗浄方法によれば、浴槽用又は洗顔容器用の内部に設置する気泡発生プローブと送風機との組み合せて使用するのが普通の構造である。そして、送風機の排出側を浴槽の底部に配設する気泡発生するプローブに連結して、浴槽内に加圧された空気を噴射して気泡を発生させるか、送風機の排出側を洗顔容器の底部に設置される気泡発生プローブに連結して、洗顔容器内に気泡を発生させることが一般に知られている。
【発明の開示】
【発明が解決しよとうする課題】
【０００３】  従来の技術で述べたものは、オゾンを気体として使用したり、水に溶解させて使用したので、下記の問題点がある。
オゾンを気体として利用する場合は、オゾンがすぐに散失するため、吸引あるいは吹き付けによる用途のみで、オゾンによる皮膚洗浄効果が充分に達成できない。
また、オゾンを水に溶解させたオゾン水の場合は、半減期が３０分程度と多少は長いものの、長時間にわたって殺菌力を継続維持することが不可能である。従って、うがい、洗い流し、浸け置き等の用途のみに限定される。
本発明は上述の従来の問題点に鑑みてなされたもので、その主たる目的とする所は、洗浄しようとする顔面及び身体の皮膚の部分に移動自在なプローブよりのオゾンの泡を噴出させ、毛穴に含まれる汚れた成分を排出、分解し、その後、空気を吹き付けて毛穴を閉鎖させ、皮膚洗浄を有効に実施し、美顔処理、美肌処理等に最も優れた気泡発生プローブによる皮膚洗浄方法を提供しようとするものである。
【課題を解決するための手段】
【０００４】  本発明は、上記目的を達成するために、皮膚の表面を温水に浸して毛穴を開放させ、その後、温水に浸された多孔質よりなるプローブより泡を噴出し、該毛穴に含まれる汚れた成分を毛穴より排出した後に、汚れた成分を皮膚より除去し、その後該皮膚の表面に空気を吹き付けて、該毛穴を閉鎖させる方法である。
また、同様の目的で、プローブよりオゾンを含有する泡を噴出し、オゾンに毛穴に含まれる汚れた成分を毛穴より排出すると共に、オゾンによって汚れ成分を分解させ、その後毛穴からの排出した汚れ成分又は分解された汚れ成分を皮膚から除去し、その後、該皮膚に空気又はオゾンを含浸した空気で毛穴を閉鎖させる方法である。
さらに、洗浄しようとする皮膚の表面を温水に浸して毛穴を開放した後、石鹸を泡立てた石鹸膜を用いてプローブより気体を供給して泡を生成し、その後、生成された泡を皮膚に接触させて、オゾンの殺菌効果と泡の生成における超音波振動効果、泡の生成に生じるイオン効果を皮膚に伝達後、皮膚に付着した泡を除去し、その後、該皮膚の表面に空気を噴射して毛穴を閉鎖する方法である。
【実施例１】
【０００５】  次に、本発明の実施例を各々順次工程を以って列記して説明すると、
（１）、（石鹸とオゾンによる皮膚洗浄を行う方法の場合）
ａ、皮膚洗浄の開始。
１、浴槽等に温水を張る。
２、温水に皮膚を浸して、毛穴を開かせる。
３、石鹸を温水で濡らして、石鹸膜による泡立てを可能とする。
４、泡立てた石鹸に、プローブ（３０）を乗せてオゾンを供給する。
５、泡で周囲が覆われているプローブ（３０）を皮膚に当接する。
６、プローブ（３０）と皮膚の間に微細な泡を含む石鹸膜を形成しつつ、プローブ（３０）を皮膚上で移動させる。
７、全ての洗浄対象領域に対して終了し、
８、洗浄した皮膚に対して温水による掛け洗いをする。
９、すすぎが完了したら、皮膚の乾燥を行う。（柔らかいタオルを用いて、皮膚の押し拭きを行う）
１０、押し拭きをした皮膚領域に対してプローブ（３０）から吹き出る冷風を当てて、開いた毛穴を閉じる。
以上で皮膚洗浄の終了となる。
【実施例２】
【０００６】（２）、（超音波による皮膚洗浄を行う方法の場合）
ａ、皮膚洗浄の開始。
１、温水に皮膚を浸して、毛穴を開かせる。
２、温水に浸されたプローブ（３０）より泡を噴出させて、プローブ（３０）を皮膚上で移動させる。
３、全ての洗浄対象領域に対して終了し、
４、洗浄した皮膚に対して温水による掛け洗いをする。
５、皮膚の乾燥を行う。
６、皮膚に空気を吹き付けて、毛穴を閉じる。
以上で皮膚洗浄の終了となる。
【実施例３】
【０００７】（３）、（オゾンにより皮膚洗浄を行う方法の場合）
ａ、皮膚洗浄の開始。
１、温水に皮膚を浸して、毛穴を開かせる。
２、温水に皮膚を浸されたプローブ（３０）よりオゾンを含む泡を噴出させる。
３、全ての洗浄対象領域に対して終了し、
４、洗浄した皮膚に対して温水による掛け洗いをする。
５、皮膚の乾燥を行う。
６、皮膚に空気を吹き付けて、毛穴を閉じさせる。
以上で皮膚洗浄の終了となる。
【実施例４】
【０００８】（４）、（石鹸を超音波による皮膚洗浄を行う方法の場合）
ａ、皮膚洗浄の開始。
１、温水に皮膚を浸して、毛穴を開かせる。
２、石鹸を温水で濡らして、石鹸膜による泡立てを可能とする。
３、泡立てた石鹸に、プローブ（３０）を乗せて空気を供給する。
４、泡で周囲が覆われているプローブ（３０）を皮膚に当接する。
５、プローブ（３０）と皮膚の間に微細な泡を含む石鹸膜を形成しつつ、プローブ（３０）を皮膚上で移動させる。
６、全ての洗浄対象領域に対して終了し、
７、洗浄した皮膚に対して温水による掛け洗いをする。
８、皮膚の乾燥を行う。
９、皮膚に空気を吹き付けて、毛穴を閉じさせる。
以上で皮膚洗浄の終了となる。
【発明を実施するための最良の形態１】
【０００９】  前記（１）項に示す石鹸とオゾンによる皮膚洗浄方法の工程を更に詳しく述べると、利用者が入浴した状態で、石鹸を用いてオゾンを含有する泡を生成させて、皮膚洗浄を行う場合、先ず、浴槽に温水を張り、入浴者は化粧している場合でもクレンジング剤を用いて化粧落としをすることがなく、入浴して発汗できる。風呂用各種形状のプローブを用いている場合には、入浴者は足の裏をオゾン噴出部に載せる事により微細泡生成の超音波振動により血行が促進される。入浴者の顔、額、頬等の温水から露出している部分から発汗して、毛穴が開くものである。
次に、泡立てた石鹸にプローブ（３０）を載せてオゾンを供給する。プローブ（３０）の多孔質の微細な孔から噴出されるオゾンによって石鹸上に細かい泡立ちが発生する。泡で覆われているプローブ（３０）を皮膚に当接する。該プローブ（３０）と皮膚との間に微細な泡を含む石鹸膜を形成してプローブ（３０）を皮膚上を移動させるものである。
皮膚は、女性の顔のように化粧品を付けたままでも良く、クレンジング剤でメイク落としをしなくても、オゾンにより化粧品が分解されて、皮膚の角質層と共に石鹸泡に吸収される。洗浄した対象が終了した場合には、皮膚に対して温水による掛け洗いし、皮膚を擦る必要がないため、刺激が少なく、にきびや湿疹のような皮膚疾患に対しても皮膚の洗浄ができる。そして、押し拭き後に皮膚表面にプローブ（３０）から冷風を当てて、開いている毛穴が閉じ、皮膚の表面は清浄される。
なお、本発明は、例えば、洗顔容器やバットに温水を入れて皮膚を温水に浸しても良いものである。
【発明を実施するための最良の形態２】
【００１０】  前記（２）項に示す、超音波による皮膚洗浄を行う方法の場合は、浴槽、洗顔容器等に温水を張って、毛穴を開かせ、温水に浸されたプローブ（３０）より泡を噴出し、毛穴の汚れ成分を排出し、温水により毛穴が開いて、プローブ（３０）より噴出した泡によって発生する超音波の生成によって、皮膚洗浄と超音波の生成時に生じるイオン効果により皮膚の保護を行うものである。全ての洗浄が完了した時に、皮膚の表面を温水によって洗いによるすすぎをする。その後、押し拭き等の刺激の少ない方法で水分を吸収した後、乾燥している皮膚領域に対してプローブ（３０）から吹き出る冷風を当てて皮膚に残存している余剰水分が蒸発し、開いている毛穴が閉じ、清浄な状態が維持できる。
【発明を実施するための最良の形態３】
【００１１】  前記（３）項に示す、オゾンによる皮膚洗浄を行う方法の場合は、前記同様に、各所に温水を張って皮膚を温水に浸し、毛穴を開放し、温水に浸されたプローブ（３０）によりオゾンを含む泡を噴出させ、オゾンによって汚れた成分を分解させる。皮膚に対して、プローブ（３０）を用いてオゾンを当てる処置を行い、終了した後の皮膚に温水によって洗いをして、毛穴からの汚れ成分を皮膚から除去乾燥する。前記同様に、皮膚にプローブ（３０）より冷風を当て、開いている毛穴を閉じさせて清浄な状態にするものである。
【発明を実施するための最良の形態４】
【００１２】  前記（４）項に示す、石鹸と超音波による皮膚洗浄を行う方法の場合は、例えば、オゾン皮膚洗浄装置により石鹸を併用して泡になる超音波を生成させる。各容器等に温水を張って、皮膚を温水に浸して毛穴を開放し、次に、石鹸を温水に濡らして、石鹸膜を泡立てる。そして、泡立てた石鹸に、皮膚洗浄用のプローブ（３０）を載せて空気を供給するものである。続いて、泡で周囲が覆われているプローブ（３０）を皮膚の表面に当てることによって、プローブ（３０）と皮膚との間に微細な泡を含む石鹸膜を形成しながら、プローブ（３０）を皮膚上で移動させるものである。以上の作業が全て終了したら、前記同様に、皮膚に対する刺激の少ない方法で、皮膚の乾燥を実施し、最後に乾燥させた皮膚部分に対してプローブ（３０）から吹き出る冷風を当てることによって、開いている毛穴を閉じさせ清浄な状態にするものである。
【発明を実施するための最良の形態５】
【００１３】  次に、図１、図２に示すものは、本発明の浴槽、洗顔容器等のプローブによる皮膚洗浄方法に使用する洗浄装置を示すもので、装置本体（Ａ）は、大小各種の方形状の筐体（１１）より形成され、上部に把手部（１２）を設けると共に、表面の下部にオゾン供給口（１６）を装設し、表面側には、パワータイマー（１３）と、オゾンを供給するオゾン供給量ハンドル（１４）及び空気を供給する空気供給ハンドル（１５）を各々装設してある。
また、図２に示すものは、利用者の顔面の皮膚をプローブ（３０）で洗浄する状態のもので、筐体（１１）の内部に収納されている構成のブロック図を示し、オゾンを生成するオゾン発生部（１０）、オゾン希釈部（２０）は、オゾンと空気を混合して、濃度を調整して皮膚に害を与えないように希釈する。次に、空気吸入部（２０）は、該オゾン希釈部（２０）で用いる空気を吸入するもので、エアーポンプを装備している。開閉バルブ（２４）は、オゾン希釈部（２０）とプローブ（３０）との間に設けられ、気体供給量制御部（２６）から送られる制御されたガス流量設定信号に従って、開閉バルブ（２４）の弁の開閉度が制御されるものである。
【発明の効果】
【００１４】  本発明は、以上説明したようなプローブによる皮膚洗浄方法によれば、従来のこの種の方法のように、オゾンを気体として使用したり、オゾンを水に溶解させたオゾン水のように長時間にわたって殺菌力を保持できない欠点を解決し、皮膚に損傷を与えない程度に希釈した毛穴以下の微細径としたオゾン水の気泡により、超音波振動による洗浄作用とイオン効果による皮膚の保護作用によって、皮膚の洗浄効果を最大に高める効果がある。
そして、本発明は、温水に皮膚を浸して毛穴を開かせ、石鹸で泡立てると共に、石鹸に対してプローブよりオゾンを供給して泡を発生させ、生成された泡を皮膚に接触させ、皮膚に付着した泡を除去し、その後、皮膚に空気を吹き付けて、毛穴を閉じさせ、石鹸を泡立ててオゾンを皮膚に吹き付けることで、オゾンの微細な泡を用いて皮膚に圧接させるので、石鹸の洗浄作用とオゾンによる洗浄作用との相乗効果によって、皮膚の洗浄力を著しく高める効果がある。
更に本発明によれば、微細な泡による皮膚の洗浄は、超音波による皮膚のマッサージ効果が筋肉の緊張をほぐし、美肌の効果がある。また、温水によって毛穴の開放した皮膚の表面は、超音波の振動波を効率よく伝え、皮膚の表面に浮き上がった脂や汚れた水を洗い流す効果もある。
更に、石鹸泡の破裂によって発生する超音波によれば、石鹸泡によって皮膚が湿潤状態となって超音波の伝播効果が高まり、汚れを効率良く洗浄できる効果もある。
また、本発明のオゾンによる皮膚の洗浄は、顔面、胸部及び全身を対象とする美容関係では、にきび、吹出物のい類に対する殺菌作用、脱色作用、皮膚に対する活性化作用等の有益な効果がある。
【図面の簡単な説明】
【００１５】
【図１】  本発明のオゾン皮膚洗浄装置本体の一例を示す斜面図である。
【図２】  同じく本発明の一実施例を示す、図１の内部を説明する構成ブロック図である。
【符号の説明】
【００１６】Ａ        筐体本体
１０      オゾン発生部
１１      筐体
１２      把手部
１３      パワータイマー
１４      オゾン供給量ハンドル
１５      空気供給量ハンドル
１６      オゾン供給口
２０      オゾン希釈部
２２      空気吸入部
２４      開閉バルブ
２６      気体供給量制御部
３０      プローブ
【図１】
2005046569.tif 000003
【図２】
2005046569.tif 000004